(57)【特許請求の範囲】
【請求項１】
ＩＣカードの複数の外部接点に対応して、前記ＩＣカード挿入方向に平行に配列固定されている複数のコンタクト端子を有するカードコネクタの接触構造であって、
前記複数のコンタクト端子のうち、少なくとも２つは、電源に接続されるための電源接続用端子であり、
前記電源接続用端子を除く前記複数のコンタクト端子のうち、少なくとも２つは、接地されるための接地用端子であり、
前記電源接続用と前記接地用端子とを除く前記複数のコンタクト端子のうち、少なくとも１つは、ＩＣカードがカードコネクタに完全に装填されているか否かを検出するためのカード検出用端子であり、
前記少なくとも２つの接地用端子の内の１つは、前記複数のコンタクト端子の中で最初に、対応するＩＣカードの外部接点と接触するとともに、当該最初にＩＣカードの外部接点と接触する接地用端子は、平行に配列固定されている複数のコンタクト端子の略中央に配置されており、
前記カード検出用端子は、前記複数のコンタクト端子の中で最後に、対応するＩＣカードの外部接点と接触し、
前記少なくとも２つの接地用端子の内の１つの端子と前記カード検出用端子は、前記ＩＣカードの一方の最外端に配置されている一の外部接点に接触することを特徴とするカードコネクタの接触構造。
【請求項２】
前記少なくとも２つの接地用端子の内の１つの端子と前記カード検出用端子のうち、最外端に配置されるコンタクト端子は、該コンタクト端子の固定部中心軸に対して非対称形状をなしていることを特徴とする請求項１に記載のカードコネクタの接触構造。
【請求項３】
前記少なくとも２つの接地用端子は、それぞれ異なる共振周波数を有することを特徴とする請求項１または２に記載のカードコネクタの接触構造。
【請求項４】
ＩＣカードの複数の外部接点に対応して、前記ＩＣカード挿入方向に平行に配列固定されている複数のコンタクト端子を有するカードコネクタの接触構造であって、
前記複数のコンタクト端子のうち、少なくとも２つは、電源に接続されるための電源接続用端子であり、
前記電源接続用端子を除く前記複数のコンタクト端子のうち、少なくとも２つは、接地されるための接地用端子であり、
前記電源接続用と前記接地用端子とを除く前記複数のコンタクト端子のうち、少なくとも１つは、ＩＣカードがカードコネクタに完全に装填されているか否かを検出するためのカード検出用端子であり、
前記少なくとも２つの電源接続用端子は、前記ＩＣカードの一方の最外端に配置されている一の外部接点に接触していることを特徴とするカードコネクタの接触構造。
【請求項５】
前記少なくとも２つの電源接続用端子のうち、最外端に配置されるコンタクト端子は、該コンタクト端子の固定部中心軸に対して非対称形状をなしていることを特徴とする請求項４に記載のカードコネクタの接触構造。
【請求項６】
前記少なくとも２つの電源接続用端子は、それぞれ異なる共振周波数を有することを特徴とする請求項４または５に記載のカードコネクタの接触構造。
【請求項７】
ＩＣカードの複数の外部接点に対応して、前記ＩＣカード挿入方向に平行に配列固定されている複数のコンタクト端子を有するカードコネクタの接触構造であって、
前記複数のコンタクト端子のうち、少なくとも２つは、電源に接続されるための電源接続用端子であり、
前記電源接続用端子を除く前記複数のコンタクト端子のうち、少なくとも２つは、接地されるための接地用端子であり、
前記電源接続用と前記接地用端子とを除く前記複数のコンタクト端子のうち、少なくとも１つは、ＩＣカードがカードコネクタに完全に装填されているか否かを検出するためのカード検出用端子であり、
前記少なくとも２つの電源接続用端子は、前記ＩＣカードの一方の最外端に配置されている一の外部接点に接触し、
前記少なくとも２つの接地用端子の内の１つは、前記複数のコンタクト端子の中で最初に、対応するＩＣカードの外部接点と接触し、
前記カード検出用端子は、前記複数のコンタクト端子の中で最後に、対応するＩＣカードの外部接点と接触し、
前記少なくとも２つの接地用端子の内の１つの端子と前記カード検出用端子は、前記ＩＣカードの他方の最外端に配置されている一の外部接点に接触することを特徴とするカードコネクタの接触構造。
【請求項８】
前記最初にＩＣカードの外部接点と接触する接地用端子は、平行に配列固定されている複数のコンタクト端子の略中央に配置されていることを特徴とする請求項７に記載のカードコネクタの接触構造。
【請求項９】
前記複数のコンタクト端子のうち、最外端に配置されるコンタクト端子は、該コンタクト端子の固定部中心軸に対して非対称形状をなしていることを特徴とする請求項７又は８に記載のカードコネクタの接触構造。
【請求項１０】
前記少なくとも２つの接地用端子は、それぞれ異なる共振周波数を有し、
前記少なくとも２つの電源接続用端子は、それぞれ異なる共振周波数を有することを特徴とする請求項７ないし９のいずれかに記載のカードコネクタの接触構造。
【発明の詳細な説明】
【０００１】
【発明の属する技術分野】
本発明は、ディジタルカメラ、携帯電話機等の電子機器とＩＣカードを接続するためのカードコネクタに関し、より詳細には、ＩＣカードと電気的に接触するコネクタ端子構造を改良したカードコネクタの接触構造に関する。
【０００２】
【従来の技術】
ディジタルカメラ、携帯電話機等の電子機器においては、ＣＰＵ及びメモリ用ＩＣが内蔵されたＩＣカードを装着することにより各種の機能拡張が行なわれるようになっている。
このようなＩＣカードを着脱自在に装填するためのカードコネクタは、該カードコネクタが装着される電子機器側の各種信号処理回路や電源回路と接続される複数のコンタクト端子を、カードコネクタに装填されたＩＣカードの表面又は裏面に形成されている複数の外部接点（以下「パッド」という。）と接触するようにハウジング内に配置し、これらのコンタクト端子を介してＩＣカードを電子機器と電気的に接続するようにしている。
【０００３】
従来のカードコネクタに着脱されるＩＣカードは、ＣＰＵ等のコントローラを備えているものにおいては、カードコネクタのコンタクト端子に接続されるパッド数も通常８個前後と少なく済んでいた。
【０００４】
また、ＩＣカードがカードコネクタに確実に装填されたことを検知するカード認識（検出）スイッチが、ＩＣカードのパッドに接続されるコネクタ端子とは別に、カードコネクタ奥部に設けられていた（例えば、特許文献１参照）。
【０００５】
【特許文献１】
特開２００１−１４３７８８号公報
【０００６】
【発明が解決しようとする課題】
近年、ディジタルカメラや携帯電話機等の電子機器においては小型化、高性能化が進んでいる。一方、ＩＣカードは、上記電子機器の高性能化に伴い、例えばＸＤピクチャーカード（ＴＭ）のような画像処理を扱うＩＣカード等に見られるように、メモリ容量が増大し、ＩＣカード自体が大型化している。このことは、電子機器の小型に障害となることから、従来ＩＣカード側に備えられていたＣＰＵ等のコントローラは電子機器側にまとめられるようになってきている。したがって、ＩＣカードは、メモリーのみのカードとなり、ＩＣカード自体の大きさを抑えることが可能となるが、これによって、電子機器側とのデータのやりとりのためにパッド数が２倍以上に増大することになった。このため、コンタクト端子の配列ピッチが小さくなる（従来ピッチの１／２以下）と共に、コンタクト端子自体の形状（コンタクト端子の幅や長さ等）も小型化を要求される。
【０００７】
このようなコンタクト端子の配列ピッチや形状の小型化は、ＩＣカードのパッドに対するコンタクト端子の接触部のズレやコンタクト端子自体の耐衝撃性の低下が生じ、該コンタクト端子とＩＣカードのパッドとの電気的接触に対する信頼性を失わせる恐れがある。特に、電源回路との接続において、振動や衝撃による電気的瞬断を防止することが重要である。
【０００８】
大きな衝撃や振動の発生に対し、ＩＣカードのパッドとコンタクト端子との確実な電気的接触を確保にするために、コンタクト端子の先端接触部を２つに分割することが提案されている（特開２００２−１００４４０号公報参照）。しかしながら、上記したように、コンタクト端子の配列ピッチや形状の小型化により、このようにコンタクト端子の接触部を２分割することは、製造時間の増大やコストの上昇を招き、望ましくない。
【０００９】
また、カード検出スイッチが、横並びに配列された複数のコンタクト端子とは別にカードコネクタ奥側に設けられている場合には、カード検出スイッチの印刷回路基板との接続用端子を設ける等、カードコネクタの構造が複雑になるとともに、部品点数も多くなっている。
【００１０】
本発明の目的は、このような問題点に鑑み、カードコネクタの構造をコンパクトでシンプルな構造とすると共に、接触信頼性が高く、衝撃等の耐久性が高い、改良されたカードコネクタの接触構造を提供することにある。
【００１１】
【課題を解決するための手段】
上記目的を達成するために、本発明に係るカードコネクタの接触構造は、ＩＣカードの複数の外部接点に対応して、前記ＩＣカード挿入方向に平行に配列固定されている複数のコンタクト端子を有するカードコネクタの接触構造であって、前記複数のコンタクト端子のうち、少なくとも２つは、電源に接続されるための電源接続用端子であり、前記電源接続用端子を除く前記複数のコンタクト端子のうち、少なくとも２つは、接地されるための接地用端子であり、前記電源接続用と前記接地用端子とを除く前記複数のコンタクト端子のうち、少なくとも１つは、ＩＣカードがカードコネクタに完全に装填されているか否かを検出するためのカード検出用端子であり、前記少なくとも２つの接地用端子の内の１つは、前記複数のコンタクト端子の中で最初に、対応するＩＣカードの外部接点と接触するとともに、当該最初にＩＣカードの外部接点と接触する接地用端子は、平行に配列固定されている複数のコンタクト端子の略中央に配置されており、前記カード検出用端子は、前記複数のコンタクト端子の中で最後に、対応するＩＣカードの外部接点と接触し、前記少なくとも２つの接地用端子の内の１つの端子と前記カード検出用端子は、前記ＩＣカードの一方の最外端に配置されている一の外部接点に接触することを特徴とする。
【００１２】
また、本発明に係る別のカードコネクタの接触構造は、ＩＣカードの複数の外部接点に対応して、前記ＩＣカード挿入方向に平行に配列固定されている複数のコンタクト端子を有するカードコネクタの接触構造であって、前記複数のコンタクト端子のうち、少なくとも２つは、電源に接続されるための電源接続用端子であり、前記電源接続用端子を除く前記複数のコンタクト端子のうち、少なくとも２つは、接地されるための接地用端子であり、前記電源接続用と前記接地用端子とを除く前記複数のコンタクト端子のうち、少なくとも１つは、ＩＣカードがカードコネクタに完全に装填されているか否かを検出するためのカード検出用端子であり、前記少なくとも２つの電源接続用端子は、前記ＩＣカードの一方の最外端に配置されている一の外部接点に接触していることを特徴とする。
【００１３】
さらに本発明に係るカードコネクタの接触構造は、上記２つの構造を組み合わせたものであってもよい。
【００１４】
【発明の実施の形態】
以下、図１〜１２を参照して、本発明を詳細に説明する。
【００１５】
図１〜６には、本発明に係るカードコネクタが示されており、図１は、プリント基板に装着されたカードコネクタの上面斜視図である。図２は、カードコネクタに装填されるＩＣカードの下面斜視図である。図３は、カードコネクタの上面斜視図、図４は、カードコネクタの下面斜視図、図５は、カードコネクタの別角度から見た下面斜視図である。図６は、上部ハウジングを取り除いた状態のカードコネクタの概略平面図である。
【００１６】
本発明に係るカードコネクタは、ディジタルカメラ、携帯型情報機器（ＰＤＡ：personal digital assistant）、小型パソコン（ＰＣ；personal computer ）、携帯電話、ＵＳＢ（universal serial bus ）リーダライタ、パソコンカードアダプタ等の電子機器に適用される。
【００１７】
カードコネクタ１は、図１に示されるように、コンタクト端子３０を介して電子機器の印刷回路基板７０の対応する接続端子に半田付けされることにより、電子機器に装着される。
【００１８】
カードコネクタ１に装填されるＩＣカード８０は、図２に示されるように、裏面に複数（本実施例では１８個）のパッドを有する。両端に配置されているパッドは、接地用兼ＩＣカード検出用パッド８１及び電源用パッド８２である。また、略中心部に位置するパッド（本実施例では、接地用兼ＩＣカード検出用パッド８１から数えて９番目のパッド）は、接地用パッド８３として利用される。その他のパッド８４は、メモリとデータをやりとりするための信号用パッドである。これらのパッドは、いずれもカードコネクタ１へカードを挿入する方向Ｘに沿って同じ長さを有する。なお、両端のパッド８１、８２は、後述するように２つのコンタクト端子３０と接触できるように、他のパッドと比べてカード挿入方向Ｘに直交する方向に若干幅広に形成されている。
【００１９】
次に、カードコネクタ１の構成について簡単に説明する。カードコネクタ１は、上部ハウジング１０と下部ハウジンブ２０とから構成されている。
【００２０】
上部ハウジング１０は、板金から打抜き及びプレス加工で作られており、天板部１１、第１の側壁板部１２、第２の側壁板部１３及び後壁板部１４を含み、これらの部材によって下部ハウジング２０を上から覆うように形成されている。また、該上部ハウジング１０の第１、第２の側壁板部１２、１３には、カードコネクタ１内へのＩＣカードの挿入、排出を助けるイジェクト機構４０のためのカムレバー押さえ、上部ハウジングを下部ハウジングに固定するための固定機構５０及びＩＣカードの抜け落ちを防止するブレーキ片６０等が上部ハウジング１０の所定個所に打抜き加工により形成されている。さらに、後壁板部１４には、その脚部が半田付けされることにより、カードコネクタ１を印刷回路基板７０に固定するためのＬ字形固定金具５５が取り付けられている。
【００２１】
下部ハウジング２０は、コンタクト端子３０が圧入固定されるための固定溝２５が複数形成されている底壁部２１、第１の側壁部２２、第２の側壁部２３、後壁部２４を含んでいる。これらの部材及び上部ハウジング１０の天板部１１とによってＩＣカード１の挿入空間が形成される。なお、２２ａ、２３ａは、第１の側壁部２２、第２の側壁部２３の内壁面であり、ＩＣカード１の挿入又は取り出し時において、該ＩＣカード１を案内する。また、２６は、前記複数の固定溝２５に対応し該固定溝２５よりカード挿入方向Ｘ奥部に形成されている、底壁部２１を貫通する複数の貫通孔、２７は、印刷回路基板７０との位置決めを可能とする突起部、２８は、カードコネクタ１と印刷回路基板７０との間のスペーサであって、いずれも底壁部２１裏面に下部ハウジング２０と一体に成形される。さらに、第２の側壁部には、ＩＣカード１の挿入、取り出しを助けるイジェクト機構４０が設けられている。４１は、該イジェクト機構４０を構成する、ハートカム（不図示）を有するイジェクト部材、４２は、同イジェクト機構４０のカムレバー、４３は、前記イジェクト部材に一体形成されているＩＣカード当接部、４４は、同イジェクト機構４０の圧縮コイルバネである。
【００２２】
下部ハウジング２０は、ＬＣＰ（液晶ポリマー）やＰＡ−９Ｔ（変性ポリアミド）等のプラスチックから成型されている。該下部ハウジング２０の溝２５内には、複数のコンタクト端子３０が概略平行に配列され、固定されている。
【００２３】
再び図６を用いて及び図７〜１２を用いて、上記ＩＣカード８０のパッド８１〜８４に接触する本件発明に係るコンタクト端子３０の構造、配列及びパッドとの接触態様について説明する。
【００２４】
図７〜１０は、ＩＣカードのパッドとコンタクト端子との接触の態様を説明するための図であり、図７は、未接触状態、図８は、１番目のコンタクト端子が接触を開始した時点、図９は、２番目のコンタクト端子が接触を開始した時点、図１０は、最後のコンタクト端子が接触を開始した時点、図１１は、コンタクト端子が接触を完了した時点を示している。図１２、１３は、コンタクト端子の詳細図であり、図１２は、最外端に配置されるコンタクト端子の平面図と側面図、図１３は、その他のコンタクト端子の平面図と側面図である。
【００２５】
複数のコンタクト端子３０は、図６に示されるように、ＩＣカード８０の挿入方向Ｘであって互いに平行に配列され、下部ハウジング２０に形成されている溝２５を介して固定される。
【００２６】
図６において、一方の最外端である最上端に配置されているコンタクト端子３１は、第１の接地用端子である。該接地用端子３１の直ぐ下のコンタクト端子３２は、カード検出用端子である。他方の最外端である最下端に配置されているコンタクト端子３３は、第１の電源接続用端子であり、該電源接続用端子３３の直ぐ上のコンタクト端子３４は、第２の電源接続用端子である。また、略中央（本実施例においては、第１の接地用端子３１から下に１０番目）に配置されているコンタクト端子３５は、第２の接地用端子である。その他のコンタクト端子３６は、いずれも信号線用端子である。
【００２７】
コンタクト端子３０のカード挿入方向Ｘに沿う長さに関して、本実施例では、第２の接地用端子３５が全コンタクト端子３０の内で最も短く、カード検出用端子３２が最も長く形成されている。電子機器の制御シーケンス上信号線よりも先に接地させる必要性から、接地用端子が最初にＩＣカード８０のパッドと電気的に接続されるように第２の接地用端子３５が最も短く形成されている。一方、カード検出用端子３２は、ＩＣカード８０がカードコネクタ１内に確実に挿入されたか否かを検出するためのものであるから、最後にパッドに接触させられるように、最も長く形成されている。
【００２８】
なお、その他のコンタクト端子の長さは、第２の接地用端子３５とカード検出用端子３２との間にあればどのような長さであってもよいが、少なくとも第１の接地用端子３１は、第１、第２の電源接続用端子３３、３４よりも短いほうが好ましい。ちなみに、本実施例では、第１の接地用端子３１は、全コンタクト端子中で２番目に短く形成されている。また、第１の電源接続用端子３３と第２の電源接続用端子３４は、後述するようにその形状も異なるが、長さも異なっていることが好ましい。
【００２９】
第１の接地用端子３１とカード検出用端子３２とは、ＩＣカード８０の幅広の接地用兼ＩＣカード検出用パッド８１に接触する。また、第１、第２の電源接続用端子３３、３４の２つのコンタクト端子も、ＩＣカード８０の幅広の電源用パッド８２に接触する。さらに、第２の接地用端子３５は、ＩＣカード８０の接地用パッド８３に接触する。その他の信号線用端子３６は、ＩＣカード８０の対応する信号用パッド８３に接触する。
【００３０】
次に、コンタクト端子３０自体の構造について説明する。図１２、１３に示されるように、コンタクト端子３０は、ＩＣカード８０のパッドに接触する接触部３０ａ、弾性力を付与されているバネ片部３０ｂ、下部ハウジング２０の固定溝２５に固定される固定部３０ｃ及び印刷回路基板の対応する接続端子に半田付けされる半田付け部３０ｄとから構成される。
【００３１】
なお、コンタクト端子３０の先端接触部３０ａ及びバネ片部３０ｂは、コンタクト端子３０がその固定部３０ｃを介して下部ハウジング２０の固定溝２５に圧入固定される時、貫通孔２６上方に位置する。したがって、半田付け部３０ｄは、ＩＣカード挿入側に位置する。このように構成することにより、接触部３０ａ及びバネ片部３０ｂが、下部ハウジング２０の底壁部２１に当ることなく自由に変形することができる。
【００３２】
また、両端部（最外端）に配置されるコンタクト端子３１、３３の接触部３０ａ及び半田付け部３０ｄは、図１２に示されるように、ハウジング固定部３０ｃの中心軸に対してそれぞれ非対称であって、かつ、両者は、該中心軸に対して反対側に配置されている。最外端に位置するコンタクト端子３１、３３の形状をこのように形成することにより、後述するように、ＩＣカード８０の両端の幅広パッド８１、８２に２つのコンタクト端子（３１と３２又は３３と３４）が接触することを可能とする。すなわち、例えば、第１の接地用端子３１とカード検出用端子３２のそれぞれの接触部３０ａを近接して配置させることが可能である。その他のコンタクト端子３０は、図１３に示されるように、固定部３０ｃの中心軸に対して左右対称に形成されている。
【００３３】
また、最外端に配置されるコンタクト端子３１、３３の固定部３０ｃから半田付け部３０ｄにかけて幅広とすることにより、コンタクト端子の質量をその他のコンタクト端子よりも大きくさせている。このように構成することにより、コンタクト端子３１、３３は、その他のコンタクト端子と共振周波数を異ならせることができる。
【００３４】
次に、上記複数のコンタクト端子３０が、カードコネクタ１内にＩＣカード８０が挿入されるにつれ、ＩＣカード８０のパッド８１〜８４に接触していく態様を図７〜１１に沿って説明する。図７〜１１は、理解を助けるため、ＩＣカード８０とコンタクト端子３０のみが示されている。
【００３５】
ＩＣカード８０がカードコネクタ１内に挿入され、ＩＣカード８０のパッドにコンタクト端子３０が接触を開始する直前の状態が図７に示されている。この状態からさらにＩＣカード８０が挿入されると、図８に示されるように、最も短い第２の接地用端子３５が接地用パッド８３と最初に接触する。この最も短い第２の接地用端子３５は、上記したように略中央部に配置されている。このように構成することにより、該中央部において、挿入されるＩＣカード８０の傾斜等によるズレが最も小さい（特に、本実施例のように、カード挿入方向Ｘに対して横長であるカードにおいて顕著である。）ので、最も短く形成した第２の接地用端子３５が確実に最初に接地用パッド８３と接触することができる。
【００３６】
この後、図９に示されるように、第１の接地用端子３１が幅広の接地用兼ＩＣカード検出用パッド８１に接触する。続いて、第１、２の電源接続用端子３３、３４が順次幅広の電源用パッド８２に、複数の信号線用端子３６が対応する複数の信号用パッド８４に、それぞれ接触する。
【００３７】
最後に、図１０に示されるように、カード検出用端子３２が幅広の接地用兼ＩＣカード検出用パッド８１に接触する。これにより、第１の接地用端子３１を通してかけられていた電圧がカード接地用端子３２を通じて回路が接地側に短絡される。この時の電圧変化を検知することにより、ＩＣカード８０の全てのパッドとカードコネクタ１の全てのコンタクト端子とが接続されたこと、すなわち、ＩＣカード８０がカードコネクタ１に確実に装填されたことが検出される。
【００３８】
ＩＣカード８０がカードコネクタ１内に完全に挿入し終えると、図１１に示される状態が維持される。これにより、ＩＣカード８０と電子器との間で信号の授受が行なわれ、所定の機能が実行されることになる。
【００３９】
本実施例では、図６に示されるように、コンタクト端子３０は、その接触部３０ａがカード挿入方向Ｘに対し奥側に位置し、その半田付け部３０ｄが手前側に位置するように、下部ハウジング２０の固定溝２５に固定されている場合について説明したが、コンタクト端子３０は、挿入されるＩＣカードに対応して、本実施例とは逆に固定されていてもよい。すなわち、コンタクト端子３０は、その接触部３０ａがカード挿入方向Ｘに対し手前側に位置し、その半田付け部３０ｄが奥側に位置するように、下部ハウジング２０の固定溝２５に固定される。
【００４０】
この場合、容易に理解されるように、上記最初にＩＣカード８０のパッドに接触する第２の接地用端子３５の長さは、最も長く形成され、最後に接触するカード検出用端子３２は、最も短く形成される必要がある。
【００４１】
なお、図１４、１５に、上記本発明に係るカードコネクタ１が、電子機器としてのＵＳＢリーダライタ１００、パソコンカードアダプタ２００に適用される実用例が示されている。
ディジタルカメラ、携帯型情報機器、携帯電話、ＵＳＢリーダライタ及びパソコンアダプタ等の小型機器では、使用中にコネクタへ大きな衝撃や振動が加わるので、本願コネクタ構造が有用である。
【００４２】
【発明の効果】
以上説明したように、本発明に係るカードコネクタの接触構造は、ＩＣカードの一方の端部に配置されるパッドの幅が若干大きく形成されていることに対応して、２つのコンタクト端子を接触させるようにするとともに、一方を接地用端子とし、他方をカード検出端子とし、カード検出端子のパッドへの接触により、２つのコンタクト端子を短絡させることでカード装着を検出するようにしている。これにより、カードコネクタの構造がシンプルになると共に、従来構造に比べて部品点数が少なくなる。
【００４３】
また、電源接続用端子及び接地用端子は、いずれも２つづつ備えられているとともに、電源接続用端子及び接地用端子各々の２つのコンタクト端子は、それぞれ共振周波数が異なり、振動や衝撃に対し少なくとも１つが必ず接触されているので、ＩＣカードと電子機器との電気的接続に対し信頼性及び耐久性を向上させることができる。
【００４４】
さらに、２つの接地用端子の内少なくとも１つの端子は、略中央に配置されるとともに、最初に、対応するＩＣカードの外部接点と接触するようにしたので、他の電源用パッドや信号用パッドに先立ち、最初にＩＣカードのパッドに接触するので、電子機器とＩＣカードとで形成される回路シーケンスに対し確実で安定した接続を可能とする。
【００４５】
また、カード検出用端子は、最後に、対応するＩＣカードの外部接点と接触するようにしたので、ＩＣカードが確実に装填される。
【００４６】
また、カードコネクタの両端部に配置されるコンタクト端子を非対称形状としているので、ＩＣカードの両端部に配置されるパッドに２つのコンタクト端子を接触させることが可能である。
【図面の簡単な説明】
【図１】プリント基板に装着された本発明に係るカードコネクタの上面斜視図である。
【図２】本発明に係るカードコネクタに装填されるＩＣカードの下面斜視図である。
【図３】本発明に係るカードコネクタの上面斜視図である。
【図４】本発明に係るカードコネクタの下面斜視図である。
【図５】本発明に係るカードコネクタの図４とは別の角度から見た下面斜視図である。
【図６】本発明に係るカードコネクタの上部ハウジングを取り除いた状態の概略平面図である。
【図７】ＩＣカード挿入中であって、ＩＣカードのパッドとコンタクト端子とが未接触の状態にあることを示す図である。
【図８】ＩＣカード挿入中であって、１番目ののコンタクト端子が接触を開始した状態にあることを示す図である。
【図９】ＩＣカード挿入中であって、２番目のコンタクト端子が接触を開始した状態にあることを示す図である。
【図１０】ＩＣカード挿入中であって、最後のコンタクト端子が接触を開始した状態にあることを示す図である。
【図１１】コンタクト端子がＩＣカードの全てのパッドに接触を完了した状態にあることを示す図である。
【図１２】最外端に配置されるコンタクト端子の平面図と側面図である。
【図１３】その他のコンタクト端子の平面図と側面図である。
【図１４】本発明に係るカードコネクタの適用例であるＵＳＢリーダライタを示す図である。
【図１５】本発明に係るカードコネクタの別の適用例であるパソコンカードアダプタを示す図である。
【符号の説明】
１          カードコネクタ
１０        上部ハウジング
２０        下部ハウジング
３０        コンタクト端子
４０        イジェクト機構
５０        固定機構
６０        ブレーキ片
７０        プリント回路基板
８０        ＩＣカード
【図１】
0003713003.tif 000002
【図２】
0003713003.tif 000003
【図３】
0003713003.tif 000004
【図４】
0003713003.tif 000005
【図５】
0003713003.tif 000006
【図６】
0003713003.tif 000007
【図７】
0003713003.tif 000008
【図８】
0003713003.tif 000009
【図９】
0003713003.tif 000010
【図１０】
0003713003.tif 000011
【図１１】
0003713003.tif 000012
【図１２】
0003713003.tif 000013
【図１３】
0003713003.tif 000014
【図１４】
0003713003.tif 000015
【図１５】
0003713003.tif 000016